(57)【要約】【課題】データ収集周期を短くすることなく、実際に近い値の変化を取得する。【解決手段】コントローラ１は、第１の周期で、機器から当該機器に関するデータを収集する機器データ収集部１１と、収集されたデータを記憶する機器データ記憶部１２と、第１の周期に対して長い第２の周期で、機器データ記憶部１２から該当するデータ群を抽出して現在値及び極値を示す情報を抽出する機器情報抽出部１３と、第２の周期で、抽出された情報を施設管理装置２に送信する機器情報送信部１４とを備え、施設管理装置２は、第２の周期で送信された情報を受信する機器情報受信部２１と、受信された情報を記憶する機器情報記憶部２２と、記憶された情報に基づいて、当該情報に関する表示画面を生成する画面生成部２３と、生成された表示画面を表示する表示部２４とを備えた。【選択図】図１
2016001373.tif 000002
【特許請求の範囲】
【請求項１】
機器が接続されたコントローラと、前記コントローラが接続された施設管理装置とを備えた施設管理システムにおいて、
前記コントローラは、
第１の周期で、前記機器から当該機器に関するデータを収集する機器データ収集部と、
前記機器データ収集部により収集されたデータを記憶する機器データ記憶部と、
前記第１の周期に対して長い第２の周期で、前記機器データ記憶部から該当するデータ群を抽出して現在値及び極値を示す情報を抽出する機器情報抽出部と、
前記第２の周期で、前記機器情報抽出部により抽出された情報を前記施設管理装置に送信する機器情報送信部とを備え、
前記施設管理装置は、
前記機器情報送信部により前記第２の周期で送信された情報を受信する機器情報受信部と、
前記機器情報受信部により受信された情報を記憶する機器情報記憶部と、
前記機器情報記憶部に記憶された情報に基づいて、当該情報に関する表示画面を生成する画面生成部と、
前記画面生成部により生成された表示画面を表示する表示部とを備えた
ことを特徴とする施設管理システム。
【請求項２】
前記コントローラは、前記機器に関するデータに対する時系列での変化パターンを示す情報を複数保持するパターン保持部を備え、
前記機器情報抽出部は、前記抽出したデータ群に基づいて、前記パターン保持部から該当する変化パターンを示す情報を抽出し、
前記画面生成部は、前記機器情報記憶部に記憶された現在値、極値及び変化パターンを示す情報に基づいて、前記表示画面としてグラフを生成する
ことを特徴とする請求項１記載の施設管理システム。
【請求項３】
機器が接続されたコントローラと、前記コントローラが接続された施設管理装置とを備えた施設管理システムにおいて、
前記コントローラは、
第１の周期で、前記機器から当該機器に関するデータを収集する機器データ収集部と、
前記機器データ収集部により収集されたデータを記憶する機器データ記憶部と、
前記第１の周期に対して長い第２の周期で、前記機器データ記憶部から該当するデータ群を抽出して現在値を示す情報を抽出する機器情報抽出部と、
前記第２の周期で、前記機器情報抽出部により抽出されたデータ群及び現在値を示す情報を前記施設管理装置に送信する機器情報送信部とを備え、
前記施設管理装置は、
前記機器情報送信部により前記第２の周期で送信された情報を受信する機器情報受信部と、
前記機器情報受信部により受信された情報を記憶する機器情報記憶部と、
前記機器情報記憶部に記憶された情報に基づいて、当該情報に関する表示画面を生成する画面生成部と、
前記画面生成部により生成された表示画面を表示する表示部とを備えた
ことを特徴とする施設管理システム。
【請求項４】
機器が接続されたコントローラにおいて、
第１の周期で、前記機器から当該機器に関するデータを収集する機器データ収集部と、
前記機器データ収集部により収集されたデータを記憶する機器データ記憶部と、
前記第１の周期に対して長い第２の周期で、前記機器データ記憶部から該当するデータ群を抽出して現在値及び極値を示す情報を抽出する機器情報抽出部と、
前記第２の周期で、前記機器情報抽出部により抽出された情報を、自機に接続された施設管理装置に送信する機器情報送信部と
を備えたことを特徴とするコントローラ。
【請求項５】
機器が接続されたコントローラにおいて、
第１の周期で、前記機器から当該機器に関するデータを収集する機器データ収集部と、
前記機器データ収集部により収集されたデータを記憶する機器データ記憶部と、
前記第１の周期に対して長い第２の周期で、前記機器データ記憶部から該当するデータ群を抽出して現在値を示す情報を抽出する機器情報抽出部と、
前記第２の周期で、前記機器情報抽出部により抽出されたデータ群及び現在値を示す情報を、自機に接続された施設管理装置に送信する機器情報送信部と
を備えたことを特徴とするコントローラ。
【請求項６】
機器が接続されたコントローラが接続された施設管理装置において、
前記コントローラにより第１の周期で前記機器から収集されて記憶された当該機器に関するデータのうち、当該第１の周期に対して長い第２の周期で抽出されたデータ群を用いて抽出されて送信された現在値及び極値を示す情報を、受信する機器情報受信部と、
前記機器情報受信部により受信された情報を記憶する機器情報記憶部と、
前記機器情報記憶部に記憶された情報に基づいて、当該情報に関する表示画面を生成する画面生成部と、
前記画面生成部により生成された表示画面を表示する表示部と
を備えたことを特徴とする施設管理装置。
【請求項７】
機器が接続されたコントローラが接続された施設管理装置において、
前記コントローラにより第１の周期で前記機器から収集されて記憶された当該機器に関するデータのうち、当該第１の周期に対して長い第２の周期で抽出されて送信されたデータ群及び当該データ群を用いて抽出されて送信された現在値を示す情報を、受信する機器情報受信部と、
前記機器情報受信部により受信された情報を記憶する機器情報記憶部と、
前記機器情報記憶部に記憶された情報に基づいて、当該情報に関する表示画面を生成する画面生成部と、
前記画面生成部により生成された表示画面を表示する表示部と
を備えたことを特徴とする施設管理装置。
【請求項８】
機器が接続されたコントローラと、前記コントローラが接続された施設管理装置とを備えた施設管理システムによる施設管理方法において、
前記コントローラは、
機器データ収集部により、第１の周期で、前記機器から当該機器に関するデータを収集する機器データ収集ステップと、
機器データ記憶部により、前記機器データ収集部により収集されたデータを記憶する機器データ記憶ステップと、
機器情報抽出部により、前記第１の周期に対して長い第２の周期で、前記機器データ記憶部から該当するデータ群を抽出して現在値及び極値を示す情報を抽出する機器情報抽出ステップと、
機器情報送信部により、前記第２の周期で、前記機器情報抽出部により抽出された情報を前記施設管理装置に送信する機器情報送信ステップとを有し、
前記施設管理装置は、
機器情報受信部により、前記機器情報送信部により前記第２の周期で送信された情報を受信する機器情報受信ステップと、
機器情報記憶部により、前記機器情報受信部により受信された情報を記憶する機器情報記憶ステップと、
画面生成部により、前記機器情報記憶部に記憶された情報に基づいて、当該情報に関する表示画面を生成する画面生成ステップと、
表示部により、前記画面生成部により生成された表示画面を表示する表示ステップとを有する
ことを特徴とする施設管理方法。
【請求項９】
機器が接続されたコントローラと、前記コントローラが接続された施設管理装置とを備えた施設管理システムによる施設管理方法において、
前記コントローラは、
機器データ収集部により、第１の周期で、前記機器から当該機器に関するデータを収集する機器データ収集ステップと、
機器データ記憶部により、前記機器データ収集部により収集されたデータを記憶する機器データ記憶ステップと、
機器情報抽出部により、前記第１の周期に対して長い第２の周期で、前記機器データ記憶部から該当するデータ群を抽出して現在値を示す情報を抽出する機器情報抽出ステップと、
機器情報送信部により、前記第２の周期で、前記機器情報抽出部により抽出されたデータ群及び現在値を示す情報を前記施設管理装置に送信する機器情報送信ステップとを有し、
前記施設管理装置は、
機器情報受信部により、前記機器情報送信部により前記第２の周期で送信された情報を受信する機器情報受信ステップと、
機器情報記憶部により、前記機器情報受信部により受信された情報を記憶する機器情報記憶ステップと、
画面生成部により、前記機器情報記憶部に記憶された情報に基づいて、当該情報に関する表示画面を生成する画面生成ステップと、
表示部により、前記画面生成部により生成された表示画面を表示する表示ステップとを有する
ことを特徴とする施設管理方法。
【発明の詳細な説明】
【技術分野】
【０００１】
この発明は、第１の周期で機器から当該機器に関するデータを収集するコントローラと、第１の周期に対して長い第２の周期でコントローラとの間で通信を行い、機器の管理を行う施設管理装置とを備えた施設管理システム、コントローラ、施設管理装置及び施設管理方法に関するものである。
【背景技術】
【０００２】
従来の施設管理システムでは、施設管理装置とコントローラとの間の通信において、施設管理装置は、コントローラが保持しているセンサ等の機器に関するデータ（現在値）を周期的に収集し、値の変化をグラフ等でユーザに提供している（例えば特許文献１参照）。
【先行技術文献】
【特許文献】
【０００３】
【特許文献１】特開２００７−９４５０８号公報
【発明の概要】
【発明が解決しようとする課題】
【０００４】
上記のような施設管理システムにおいて、施設管理装置にて、できるだけ実際の近い値の変化を見たいというニーズがある。それに対し、施設管理装置におけるデータ収集周期を短くすることが考えられる。しかしながら、通信回線やコントローラ側のハードウェア性能により、周期を短くするには限界がある。現状では、最短でも１秒周期のデータ収集となっている。そのため、１秒以内の変化は施設管理装置では認識することができないという課題がある。
【０００５】
例えば図１２のグラフで示すような機器に関するデータにおいて、ｔ１〜ｔ２の区間で、機器のアナログ値が「１５」→「２７」→「１２」と変化したとする。しかしながら、施設管理装置でのデータ収集周期がｔ１，ｔ２，・・・のタイミングである場合には、ｔ１〜ｔ２の区間で得られる値は、「１５」と「１２」のみであり、施設管理装置では最大値である「２７」を認識することができない。図１３は従来の施設管理装置で収集結果を元に生成した表示画面の一例を示す図である。この図１３から、施設管理装置側の収集結果が、図１２に示すグラフとは大きく異なっていることがわかる。
【０００６】
この発明は、上記のような課題を解決するためになされたもので、データ収集周期を短くすることなく、実際に近い値の変化を取得することができる施設管理システム、コントローラ、施設管理装置及び施設管理方法を提供することを目的としている。
【課題を解決するための手段】
【０００７】
この発明に係る施設管理システムは、機器が接続されたコントローラと、コントローラが接続された施設管理装置とを備え、コントローラは、第１の周期で、機器から当該機器に関するデータを収集する機器データ収集部と、機器データ収集部により収集されたデータを記憶する機器データ記憶部と、第１の周期に対して長い第２の周期で、機器データ記憶部から該当するデータ群を抽出して現在値及び極値を示す情報を抽出する機器情報抽出部と、第２の周期で、機器情報抽出部により抽出された情報を施設管理装置に送信する機器情報送信部とを備え、施設管理装置は、機器情報送信部により第２の周期で送信された情報を受信する機器情報受信部と、機器情報受信部により受信された情報を記憶する機器情報記憶部と、機器情報記憶部に記憶された情報に基づいて、当該情報に関する表示画面を生成する画面生成部と、画面生成部により生成された表示画面を表示する表示部とを備えたものである。
【０００８】
また、この発明に係る施設管理システムは、機器が接続されたコントローラと、コントローラが接続された施設管理装置とを備え、コントローラは、第１の周期で、機器から当該機器に関するデータを収集する機器データ収集部と、機器データ収集部により収集されたデータを記憶する機器データ記憶部と、第１の周期に対して長い第２の周期で、機器データ記憶部から該当するデータ群を抽出して現在値を示す情報を抽出する機器情報抽出部と、第２の周期で、機器情報抽出部により抽出されたデータ群及び現在値を示す情報を施設管理装置に送信する機器情報送信部とを備え、施設管理装置は、機器情報送信部により第２の周期で送信された情報を受信する機器情報受信部と、機器情報受信部により受信された情報を記憶する機器情報記憶部と、機器情報記憶部に記憶された情報に基づいて、当該情報に関する表示画面を生成する画面生成部と、画面生成部により生成された表示画面を表示する表示部とを備えたものである。
【０００９】
また、この発明に係る施設管理方法は、機器が接続されたコントローラと、コントローラが接続された施設管理装置とを備えた施設管理システムによる施設管理方法において、コントローラは、機器データ収集部により、第１の周期で、機器から当該機器に関するデータを収集する機器データ収集ステップと、機器データ記憶部により、機器データ収集部により収集されたデータを記憶する機器データ記憶ステップと、機器情報抽出部により、第１の周期に対して長い第２の周期で、機器データ記憶部から該当するデータ群を抽出して現在値及び極値を示す情報を抽出する機器情報抽出ステップと、機器情報送信部により、第２の周期で、機器情報抽出部により抽出された情報を施設管理装置に送信する機器情報送信ステップとを有し、施設管理装置は、機器情報受信部により、機器情報送信部により第２の周期で送信された情報を受信する機器情報受信ステップと、機器情報記憶部により、機器情報受信部により受信された情報を記憶する機器情報記憶ステップと、画面生成部により、機器情報記憶部に記憶された情報に基づいて、当該情報に関する表示画面を生成する画面生成ステップと、表示部により、画面生成部により生成された表示画面を表示する表示ステップとを有するものである。
【００１０】
また、この発明に係る施設管理方法は、機器が接続されたコントローラと、コントローラが接続された施設管理装置とを備えた施設管理システムによる施設管理方法において、コントローラは、機器データ収集部により、第１の周期で、機器から当該機器に関するデータを収集する機器データ収集ステップと、機器データ記憶部により、機器データ収集部により収集されたデータを記憶する機器データ記憶ステップと、機器情報抽出部により、第１の周期に対して長い第２の周期で、機器データ記憶部から該当するデータ群を抽出して現在値を示す情報を抽出する機器情報抽出ステップと、機器情報送信部により、第２の周期で、機器情報抽出部により抽出されたデータ群及び現在値を示す情報を施設管理装置に送信する機器情報送信ステップとを有し、施設管理装置は、機器情報受信部により、機器情報送信部により第２の周期で送信された情報を受信する機器情報受信ステップと、機器情報記憶部により、機器情報受信部により受信された情報を記憶する機器情報記憶ステップと、画面生成部により、機器情報記憶部に記憶された情報に基づいて、当該情報に関する表示画面を生成する画面生成ステップと、表示部により、画面生成部により生成された表示画面を表示する表示ステップとを有するものである。
【発明の効果】
【００１１】
この発明によれば、上記のように構成したので、データ収集周期を短くすることなく、実際に近い値の変化を取得することができる。
【図面の簡単な説明】
【００１２】
【図１】この発明の実施の形態１に係る施設管理システムの構成を示す図である。
【図２】この発明の実施の形態１に係るコントローラの動作を示すフローチャートである。
【図３】この発明の実施の形態１に係る施設管理装置の動作を示すフローチャートである。
【図４】この発明の実施の形態１における機器情報記憶部に記憶された情報の一例を示す図である。
【図５】この発明の実施の形態１における画面生成部により生成される表示画面の一例を示す図である。
【図６】この発明の実施の形態２に係る施設管理システムの構成を示す図である。
【図７】この発明の実施の形態２におけるパターン保持部に保持された変化パターンの一例を示す図である。
【図８】この発明の実施の形態２に係るコントローラの動作を示すフローチャートである。
【図９】この発明の実施の形態２に係る施設管理装置の動作を示すフローチャートである。
【図１０】この発明の実施の形態２における機器情報記憶部に記憶された情報の一例を示す図である。
【図１１】この発明の実施の形態１における画面生成部により生成された表示画面の一例を示す図である。
【図１２】コントローラにより収集されたデータの一例を示すグラフである。
【図１３】従来の施設管理装置により生成された表示画面の一例を示す図であり、（ａ）数値表示した場合を示す図であり、（ｂ）グラフ表示した場合を示す図である。
【発明を実施するための形態】
【００１３】
以下、この発明の実施の形態について図面を参照しながら詳細に説明する。
実施の形態１．
図１はこの発明の実施の形態１に係る施設管理システムの構成を示す図である。
施設管理システムは、図１に示すように、施設内に設置された機器（不図示）が接続されたコントローラ１と、当該コントローラ１が接続された施設管理装置２とから構成されている。なお、コントローラ１及び施設管理装置２は、ソフトウェアに基づくＣＰＵを用いたプログラム処理によって実行される。
【００１４】
コントローラ１は、機器（例えばセンサ、バルブ、ポンプ等）から当該機器に関するデータ（例えば温度、湿度、開度、回転数等）を第１の周期で収集するものである。なお、コントローラ１によるデータの収集周期（第１の周期）は、施設管理装置２によるコントローラ１との通信周期（第２の周期）に対して短い。このコントローラ１は、機器データ収集部１１、機器データ記憶部１２、機器情報抽出部１３及び機器情報送信部１４から構成されている。
【００１５】
機器データ収集部１１は、第１の周期で、機器から当該機器に関するデータを収集するものである。
機器データ記憶部１２は、機器データ収集部１１により収集されたデータを記憶するものである。この機器データ記憶部１２は、ＨＤＤ、ＤＶＤ、メモリなどによって構成される。
【００１６】
機器情報抽出部１３は、第２の周期で、機器データ記憶部１２から該当するデータ群を抽出して現在値及び極値（最大値、最小値）を示す情報を抽出するものである。
機器情報送信部１４は、第２の周期で、機器情報抽出部１３により抽出された情報を施設管理装置２に送信するものである。
【００１７】
施設管理装置２は、コントローラ１との間で第２の周期で通信を行い、機器の管理を行うものである。この施設管理装置２は、機器情報受信部２１、機器情報記憶部２２、画面生成部２３及び表示部２４から構成されている。
【００１８】
機器情報受信部２１は、コントローラ１の機器情報送信部１４により第２の周期で送信された送信された情報を受信するものである。
機器情報記憶部２２は、機器情報受信部２１により受信された情報を記憶するものである。この機器情報記憶部２２は、ＨＤＤ、ＤＶＤ、メモリなどによって構成される。
【００１９】
画面生成部２３は、機器情報記憶部２２に記憶された情報に基づいて、当該情報に関する表示画面を生成するものである。
表示部２４は、画面生成部２３により生成された表示画面を表示するものである。
【００２０】
次に、上記のように構成された施設管理システムの動作について、図２〜５，１２を参照しながら説明する。なお以下では、コントローラ１は、機器に関するデータの変化を捉えるために第１の周期として１００ｍｓ程度の短い周期で上記データを収集し、施設管理装置２は、第２の周期として１秒程度の周期でコントローラ１から情報を収集するものとする。
【００２１】
まず、コントローラ１の動作について説明する。
コントローラ１の動作では、図２に示すように、まず、機器データ収集部１１は、第１の周期で、機器から当該機器に関するデータを収集する（ステップＳＴ２１、機器データ収集ステップ）。この機器データ収集部１１により第１の周期で収集されたデータにより、例えば図１２に示すようなグラフが得らえる。
【００２２】
次いで、機器データ記憶部１２は、機器データ収集部１１により収集されたデータを記憶する（ステップＳＴ２２、機器データ記憶ステップ）。
【００２３】
次いで、機器情報抽出部１３は、第２の周期で、機器データ記憶部１２から該当するデータ群を抽出して現在値及び極値（最大値、最小値）を示す情報を抽出する（ステップＳＴ２３、機器情報抽出ステップ）。例えば図１２に示すグラフにおいて、第２の周期がｔ１，ｔ２，・・・のタイミングであるとする。この場合、機器情報抽出部１３は、まず、ｔ０＜ｔ≦ｔ１の区間のデータ群を機器データ記憶部１２から抽出する。そして、この抽出したデータ群から、現在値「１５」、最大値「１５」及び最小値「１０」を抽出する。次の周期では、ｔ１＜ｔ≦ｔ２の区間のデータ群を機器データ記憶部１２から抽出する。そして、この抽出したデータ群から、現在値「１２」、最大値「２７」及び最小値「１２」を抽出する。以下、同様の処理を繰り返す。
【００２４】
次いで、機器情報送信部１４は、第２の周期で、機器情報抽出部１３により抽出された情報を施設管理装置２に送信する（ステップＳＴ２４、機器情報送信ステップ）。
【００２５】
次に、施設管理装置２の動作について説明する。
施設管理装置２の動作では、図３に示すように、まず、機器情報受信部２１は、コントローラ１の機器情報送信部１４により第２の周期で送信された情報を受信する（ステップＳＴ３１、機器情報受信ステップ）。
【００２６】
次いで、機器情報記憶部２２は、機器情報受信部２１により受信された情報を記憶する（ステップＳＴ３２、機器情報記憶ステップ）。これにより、機器情報記憶部２２には、図４に示すように、機器の現在値、収集周期区間での最大値及び最小値を示す情報が、時系列に記憶される。
【００２７】
次いで、画面生成部２３は、機器情報記憶部２２に記憶された情報に基づいて、当該情報に関する表示画面を生成する（ステップＳＴ３３、画面生成ステップ）。これにより、例えば図５に示すような表示画面が生成される。この図５に示す表示画面では、情報の収集時刻、収集時刻での機器の現在値、収集周期区間での最大値及び最小値を示す情報が、時系列に数値で示されている。よって、各周期での機器の現在値に加え、その周期区間での変化を示す最大値及び最小値を知ることができ、実際に近い値の変化をユーザに提供することができるようになる。
【００２８】
次いで、表示部２４は、画面生成部２３により生成された表示画面を表示する（ステップＳＴ３４、表示ステップ）。
【００２９】
以上のように、この実施の形態１によれば、施設管理装置２での収集周期（第２の周期）間のデータの変化をデータの変化幅（極値）で施設管理装置２に通知するように構成したので、データ収集周期を短くすることなく、実際に近い値の変化を取得することができる。その結果、施設管理装置２にて得らえた情報を機器の制御に利用することで、より実変化に近い値を使ったきめ細かい制御が可能となる。
【００３０】
実施の形態２．
実施の形態１では、施設管理装置２にて、コントローラ１から各収集周期での機器の現在値及び極値（最大値、最小値）を示す情報を収集し、数値表示する場合について示した。それに対し、実施の形態２では、施設管理装置２にて、コントローラ１から上記情報に加えて上記収集周期区間での変化パターンを示す情報も収集し、グラフ表示する場合について示す。
図６はこの発明の実施の形態２に係る施設管理システムの構成を示す図である。この図６に示す施設管理システムは、図１に示す施設管理システムのコントローラ１に、パターン保持部１５を追加し、機器情報抽出部１３を機器情報抽出部１３ｂに変更し、施設管理装置２の画面生成部２３を画面生成部２３ｂに変更したものである。その他の構成は同様であり、同一の符号を付して異なる部分についてのみ説明を行う。
【００３１】
パターン保持部１５は、機器に関するデータに対する時系列での変化パターンを示す情報を複数保持するものである。このパターン保持部１５には、例えば図７に示すような変化パターンが保持される。なお、この変化パターンを示す情報は、適宜、追加、削除、変更が可能である。
【００３２】
機器情報抽出部１３ｂは、実施の形態１における機器情報抽出部１３の機能に加え、抽出したデータ群に基づいて、パターン保持部１５から該当する変化パターンを示す情報を抽出するものである。
画面生成部２３ｂは、機器情報記憶部２２に記憶された現在値、極値及び変化パターンを示す情報に基づいて、表示画面としてグラフを生成するものである。
【００３３】
次に、上記のように構成された施設管理システムの動作について、図８〜１２を参照しながら説明する。なお以下では、コントローラ１は、機器に関するデータの変化を捉えるために第１の周期として１００ｍｓ程度の短い周期で上記データを収集し、施設管理装置２は、第２の周期として１秒程度の周期でコントローラ１から情報を収集するものとする。
【００３４】
まず、コントローラ１の動作について説明する。
コントローラ１の動作では、図８に示すように、まず、機器データ収集部１１は、第１の周期で、機器から当該機器に関するデータを収集する（ステップＳＴ８１、機器データ収集ステップ）。この機器データ収集部１１により第１の周期で収集されたデータにより、例えば図１２に示すようなグラフが得らえる。
【００３５】
次いで、機器データ記憶部１２は、機器データ収集部１１により収集されたデータを記憶する（ステップＳＴ８２、機器データ記憶ステップ）。
【００３６】
次いで、機器情報抽出部１３ｂは、第２の周期で、機器データ記憶部１２から該当するデータ群を抽出して現在値及び極値（最大値、最小値）を示す情報を抽出し、さらに、当該データ群に基づいてパターン保持部１５から該当する変化パターンを示す情報を抽出する（ステップＳＴ８３、機器情報抽出ステップ）。例えば図１２に示すグラフにおいて、第２の周期がｔ１，ｔ２，・・・のタイミングであるとする。この場合、機器情報抽出部１３は、まず、ｔ０＜ｔ≦ｔ１の区間のデータ群を機器データ記憶部１２から抽出する。そして、この抽出したデータ群から、現在値「１５」、最大値「１５」及び最小値「１０」を抽出する。さらに、上記データ群とパターン保持部１５の情報（図７参照）とを照らし合わせ、変化パターンとしてパターン２の「谷型」を抽出する。次の周期では、ｔ１＜ｔ≦ｔ２の区間のデータ群を機器データ記憶部１２から抽出する。そして、この抽出したデータ群から、現在値「１２」、最大値「２７」及び最小値「１２」を抽出する。さらに、上記データ群とパターン保持部１５の情報（図７参照）とを照らし合わせ、変化パターンとしてパターン１の「山型」を抽出する。以下、同様の処理を繰り返す。
【００３７】
次いで、機器情報送信部１４は、第２の周期で、機器情報抽出部１３ｂにより抽出された情報を施設管理装置２に送信する（ステップＳＴ８４、機器情報送信ステップ）。
【００３８】
次に、施設管理装置２の動作について説明する。
施設管理装置２の動作では、図９に示すように、まず、機器情報受信部２１は、コントローラ１の機器情報送信部１４により第２の周期で送信された情報を受信する（ステップＳＴ９１、機器情報受信ステップ）。
【００３９】
次いで、機器情報記憶部２２は、機器情報受信部２１により受信された情報を記憶する（ステップＳＴ９２、機器情報記憶ステップ）。これにより、機器情報記憶部２２には、図１０に示すように、機器の現在値、収集周期区間での最大値、最小値、変化パターンを示す情報が、時系列に記憶される。なお図１０の例では、変化パターンを示す情報として、変化パターン番号を用いた場合を示している。
【００４０】
次いで、画面生成部２３ｂは、機器情報記憶部２２に記憶された情報（現在値、極値及び変化パターンを示す情報）に基づいて、当該情報に関する表示画面としてグラフを生成する（ステップＳＴ９３、画面生成ステップ）。これにより、例えば図１１に示すようなグラフ表示された表示画面が生成される。よって、各周期での機器の現在値に加え、その周期区間での変化を示す最大値、最小値及びその変化パターンを知ることができ、実際に近い値の変化をユーザに提供することができるようになる。
【００４１】
次いで、表示部２４は、画面生成部２３ｂにより生成された表示画面を表示する（ステップＳＴ９４、表示ステップ）。
【００４２】
以上のように、この実施の形態２によれば、施設管理装置２での収集周期（第２の周期）間のデータの変化パターンを通知し、施設管理装置２にてグラフ表示するように構成したので、実施の形態１に対してより視覚的にその変化を認識しやすくなる。
【００４３】
実施の形態３．
コントローラ１で１００ｍｓ周期で機器に関するデータを収集する場合、コントローラ１側では１００ｍｓ周期でそのデータが更新されることになる。そこで、コントローラ１側で上記データをトレンドデータとして蓄積しておき、施設管理装置２によるデータ収集のタイミングで、現在値とともに、その収集周期区間でのトレンドデータをすべて施設管理装置２に送信するようにしてもよい。すなわち、実施の形態１において、機器情報抽出部１３は、第２の周期で、機器データ記憶部１２から該当するデータ群を抽出して現在値を示す情報を抽出し、機器情報送信部１４は、第２の周期で、上記抽出されたデータ群及び現在値を示す情報を施設管理装置２に送信する。ただし、この場合、情報量が膨大になることと、通信時間がかかるというデメリットがある。
【００４４】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４５】
１  コントローラ
２  施設管理装置
１１  機器データ収集部
１２  機器データ記憶部
１３，１３ｂ  機器情報抽出部
１４  機器情報送信部
１５  パターン保持部
２１  機器情報受信部
２２  機器情報記憶部
２３，２３ｂ  画面生成部
２４  表示部
【図１】
2016001373.tif 000003
【図２】
2016001373.tif 000004
【図３】
2016001373.tif 000005
【図４】
2016001373.tif 000006
【図５】
2016001373.tif 000007
【図６】
2016001373.tif 000008
【図７】
2016001373.tif 000009
【図８】
2016001373.tif 000010
【図９】
2016001373.tif 000011
【図１０】
2016001373.tif 000012
【図１１】
2016001373.tif 000013
【図１２】
2016001373.tif 000014
【図１３】
2016001373.tif 000015